(57)【特許請求の範囲】
【請求項１】
バッテリの充電中に照明部の点灯が可能な携帯端末機において、
充電中であることを検出する充電部と、
この充電部からの充電検出信号にもとづき、点灯している前記照明部への供給電圧及び／又は供給電流を制御する照明用電力供給制御部とを設け、
前記照明用電力供給制御部が、前記供給電圧及び／又は前記供給電流を制御した後の前記照明部の消費電流値を検知し、
前記充電部が、通常の充電完了電流値に前記照明用電力供給制御部からの前記消費電流値を加えた値を、点灯時充電完了電流値とする
ことを特徴とする照明機能付き携帯端末機。
【請求項２】
前記充電部が、前記バッテリへの充電電圧及び／又は充電電流の値を検知し、
前記照明用電力供給制御部が、前記充電部からの前記充電電圧値及び／又は前記充電電流値にもとづき前記供給電圧値及び／又は前記供給電流値を決定して制御する
ことを特徴とする請求項１記載の照明機能付き携帯端末機。
【請求項３】
前記照明用電力供給制御部が、パルス変調回路からなる
ことを特徴とする請求項１又は２記載の照明機能付き携帯端末機。
【請求項４】
前記照明用電力供給制御部が、前記供給電流値を決定する複数の電気抵抗素子と、この複数の電気抵抗素子の切り替えを行う切換素子とを有する抵抗制御回路からなる
ことを特徴とする請求項１，２又は３記載の照明機能付き携帯端末機。
【請求項５】
携帯端末機における照明部への供給電力を制御する方法であって、
前記携帯端末機の有するバッテリの充電中に、点灯している前記照明部への供給電圧及び／又は供給電流の値を制御し、
前記供給電圧及び／又は前記供給電流を制御した後の前記照明部の消費電流値を照明用電力供給制御部で検知し、
通常の充電完了電流値に前記照明部の前記消費電流値を加えた値を点灯時充電完了電流値として、充電部が前記バッテリに充電を行う
ことを特徴とする照明制御方法。
【発明の詳細な説明】
【０００１】
【発明の属する技術分野】
本発明は、照明機能付き携帯端末機に関し、特に、バッテリの充電中であっても照明部の点灯が可能な照明機能付き携帯端末機に関する。
【０００２】
【従来の技術】
携帯端末機は、外出先における無線通話の利便性の向上が求められることから、小型化，軽量化がすすめられている。この小型化等の推進にともない、携帯端末機に設けられるバッテリの大きさが必然的に制限される。
また、利用者の急速な増加及び製造業者や通信業者間の販売競争により、多様な機能が携帯端末機に搭載され、サービスの向上が図られている。この搭載機能をカバーするため、小型化の要求されるバッテリの大容量化が望まれている。
【０００３】
【発明が解決しようとする課題】
しかしながら、大容量化がすすむバッテリにおいては、充電の完了までに相当の時間を要していた。
また、充電中に照明部の点灯が可能な携帯端末機においては、照明部への供給電力分も含めて外部から充電電力として受ける必要があるため、さらに充電時間が延長されることとなっていた。
【０００４】
そして、今後も搭載機能の充実が図られ、かつ扱われるデータ量の増加が見込まれる携帯端末機においては、バッテリの容量増加を実現する技術が開発されることで、さらに充電の長時間化を必要とすることが予想される。
本発明は、上記の事情にかんがみなされたものであり、充電中に照明部の点灯が可能な携帯端末機におけるバッテリへの充電時間の短縮を可能とする照明機能付き携帯端末機の提供を目的とする。
【０００５】
【課題を解決するための手段】
この目的を達成するため、本発明の請求項１記載の照明機能付き携帯端末機は、バッテリの充電中に照明部の点灯が可能な携帯端末機において、充電中であることを検出する充電部と、この充電部からの充電検出信号にもとづき、点灯している照明部への供給電圧及び／又は供給電流を制御する照明用電力供給制御部とを設け、照明用電力供給制御部が、供給電圧及び／又は供給電流を制御した後の照明部の消費電流値を検知し、充電部が、通常の充電完了電流値に照明用電力供給制御部からの消費電流値を加えた値を、点灯時充電完了電流値とする構成としてある。
【０００６】
照明機能付き携帯端末機をこのような構成とすると、供給電圧及び供給電流の制御により照明部における消費電流が低減されることで、バッテリへの充電電流を低く抑えられるため、充電時間の短縮を図ることができる。
【０００７】
さらに、照明機能付き携帯端末機をこのような構成とすると、充電完了電流値に加えられる消費電流値が、供給電圧又は供給電流を制御した後のものであるため、必要かつ最小限の充電時間を確保できる。
【０００８】
また、請求項２記載の照明機能付き携帯端末機は、充電部が、バッテリへの充電電圧及び／又は充電電流の値を検出し、照明用電力供給制御部が、充電部からの充電電圧値及び／又は充電電流値にもとづき供給電圧値及び／又は供給電流値を決定して制御する構成としてある。
照明機能付き携帯端末機をこのような構成とすれば、照明部の点灯の光度をそれほど必要のないバッテリの充電中において、照明部への供給電力を低減することで、バッテリの充電時間を短縮できる。
【０００９】
また、請求項３記載の照明機能付き携帯端末機は、照明用電力供給制御部が、パルス変調回路からなる構成としてある。
照明機能付き携帯端末機をこのような構成とすると、パルス変調回路により、バッテリの充電中における照明部への供給電流を可変できるため、照明部の点灯光度を低く維持するとともに、充電時間を短縮できる。
【００１０】
また、請求項４記載の照明機能付き携帯端末機は、照明用電力供給制御部が、供給電流値を決定する複数の電気抵抗素子と、この複数の電気抵抗素子の切り替えを行う切換素子とを有する抵抗制御回路からなる構成としてある。
照明機能付き携帯端末機をこのような構成とすれば、電気抵抗を切り替えることにより、照明部へ供給される電流が制御されるため、バッテリの充電時間の短縮を図ることができる。
【００１１】
また、請求項５記載の照明制御方法は、携帯端末機における照明部への供給電力を制御する方法であって、携帯端末機の有するバッテリの充電中に、点灯している照明部への供給電圧及び／又は供給電流の値を制御し、供給電圧及び／又は供給電流を制御した後の照明部の消費電流値を照明用電力供給制御部で検知し、通常の充電完了電流値に照明部の消費電流値を加えた値を点灯時充電完了電流値として、充電部がバッテリに充電を行う方法としてある。
照明制御方法をこのような方法とすれば、照明部への供給電圧又は供給電流の値が低下されるため、充電電力への負担が軽減されることから、充電時間の短縮を図ることができる。
【００１２】
【発明の実施の形態】
以下、本発明の実施の形態について、図面を参照して説明する。
［第一実施形態］
まず、本発明の照明機能付き携帯端末機の第一の実施形態について、図１を参照して説明する。
同図は、本実施形態の照明機能付き携帯端末機の内部構成を示すブロック図である。
【００１３】
照明機能付き携帯端末機１０には、携帯電話、ＰＨＳ、ＰＤＡなどが含まれる。
また、照明機能付き携帯端末機１０は、同図に示すように、充電部１１と、バッテリ１２と、表示部１３と、操作部１４と、照明部１５と、照明用電力供給制御部１６と、無線部１７と、制御部１８とを有している。
【００１４】
ここで、充電部１１は、照明機能付き携帯端末機１０に外部接続される充電器２０と接続され、この充電器２０からの充電電力をバッテリ１２へ送る。
また、充電部１１は、充電電力を検知することにより、バッテリ１２が充電中であることを検出する。
【００１５】
なお、充電中であることを検出する他の方法としては、充電器２０に凸部を、携帯端末機１０に凹部をそれぞれ設け、突部が凹部に嵌合したことをスイッチなどにより検出するものがある。
この充電中であることを検出した旨は、充電開始信号として制御部１８を介し充電部１１から照明用電力供給制御部１６へ送られる。
【００１６】
また、充電部１１は、予め設定されている充電完了電流値を管理し、かつ照明部１５の点灯中に再設定される充電完了電流値（点灯時充電完了電流値）を、照明用電力供給制御部１６からの消費電流値により決定する。
充電完了電流値とは、バッテリの電力充満にともない低下した充電電流値が到達する値であり、充電の終了のタイミングを示す閾値をいう。
【００１７】
また、点灯時充電完了電流値は、通常の充電完了電流値に、照明部１５の消費電流値が加えられた値とする。
なお、後述するように、照明部１５の消費電流値には、照明用電力供給制御部１６における照明部１５の供給電力の制御がされた後のものが用いられる。
このため、バッテリへの充電に必要かつ最小限の充電時間を確保できる。
【００１８】
表示部１３は、電話番号等の各種情報を画面表示する機能を有するものであり、たとえば、ＬＣＤ（液晶ディスプレー）を用いることができる。
また、操作部１４は、電話番号の入力や各種モードの設定に用いられ、たとえば、入力キー、タッチパネル等からなる。
【００１９】
照明部１５は、表示部１３及び操作部１４の一方又は双方を照明する機能を有するものであり、たとえば、バックライトを用いることができる。
また、照明部１５は、バッテリ１２の充電中においても点灯可能とする。
【００２０】
照明用電力供給制御部１６は、照明部１５への電力供給制御、及び点灯・消灯の動作制御を行う。
また、照明用電力供給制御部１６は、充電部１１からの充電開始信号により照明部１５への供給電力値を低く設定する。
なお、供給電力値には、供給電圧及び供給電流の一方又は双方を含むものとする。
【００２１】
この低く設定される供給電力値（充電時供給電力値）は、照明機能付き携帯端末機１０の利用者により表示部１３及び操作部１４の目視可能な光量を確保できる程度の値とする。
また、照明用電力供給制御部１６は、充電時供給電力値の設定後、照明部１５の消費電流値を検知し、制御部１８を介して充電部１１へ送る。
【００２２】
なお、照明用電力供給制御部１６における供給電力の制御は、バッテリ１２への充電開始時だけでなく、充電中にも行うことができる。
たとえば、充電中に操作部１４におけるキー入力がされた場合は、照明用電力供給制御部１６が、制御部１８を介して操作部１４から送られてきたキー入力信号にもとづき、供給電力値を通常のものに切り替える。
【００２３】
また、充電時供給電力値を複数の段階設け、照明機能付き携帯端末機１０の周辺の明るさや、利用者の選択操作により可変させることもできる。
なお、バッテリ１２に充電電力が充満する前に充電部１１において充電器２０からの充電電力が検出されなくなったときは、充電部１１から照明用電力供給制御部１６へ充電完了信号が送られ、供給電力値が通常のものに設定される。
【００２４】
無線部１７は、無線基地局との間の無線電波を送受信する。
制御部１８は、充電部１１等の各構成部を制御する。
また、制御部１８は、バッテリ１２の充電時における照明部１５の点灯及び消灯を設定するモード（充電時照明設定モード）を管理する。
【００２５】
これにより、制御部１８は、充電部１１からの充電開始信号により、充電時照明設定モードが点灯及び消灯のいずれに設定されているを確認し、確認結果を照明用電力供給制御部１６へ送る。
また、制御部１８は、照明用電力供給制御部１６からの消費電流値を充電部１１へ送る。
【００２６】
次に、本実施形態の照明機能付き携帯端末機の動作について、図２を参照して説明する。
同図は、本実施形態の照明機能付き携帯端末機の動作を示すフローチャートである。
【００２７】
充電部１１において、充電器２０からバッテリ１２への充電電力が検出されると（ステップ１０）、充電開始信号が、制御部１８へ送られる。
制御部１８において、充電開始信号の入力により、充電時照明設定モードの設定が照明部１５の点灯及び消灯のいずれであるかが確認される（ステップ１２）。
【００２８】
確認の結果、消灯に設定されている場合は、充電部１１において、通常の充電電流で充電が行われる。そして、充電中は、充電電流値Ｄと充電完了電流値Ａとが比較され、Ｄ＜Ａになるまで充電動作が継続される（ステップ１４）。
その後、Ｄ＜Ａが検出されると、充電部１１において、充電動作が終了される（ステップ２２）。
【００２９】
なお、消灯設定信号は、制御部１８から照明用電力供給制御部１６へ送られることもできる。この場合、照明用電力供給制御部１６において照明部１５の消灯動作がなされる。
【００３０】
一方、充電時照明設定モードが点灯に設定されている場合は、点灯設定信号が照明用電力供給制御部１６へ送られる。
照明用電力供給制御部１６において、点灯設定信号の入力により、供給電力が充電時供給電力値に設定され照明部１５へ供給される（ステップ１６）。
【００３１】
照明用電力供給制御部１６において、供給電力の制御後、照明部１５の消費電流の値が検知され制御部１８を介して充電部１１へ送られる。
充電部１１において、通常の充電完了電流値Ａに照明用電力供給制御部１６からの消費電流値Ｂが加算され、得られた値Ｃ（Ｃ＝Ａ＋Ｂ）が点灯時充電完了電流値として設定される（ステップ１８）。
【００３２】
充電部１１において、充電動作中に、点灯時充電完了電流値Ｃと充電電流値Ｄとが比較され、Ｄ＜Ｃを検出したときに充電動作を終了する（ステップ２０、ステップ２２）。
【００３３】
次に、本実施形態の照明機能付き携帯端末機における充電電圧及び充電電流の変化について、図３を参照して説明する。
同図は、本実施形態の照明機能付き携帯端末機における充電電圧及び充電電流の変化を示す推移グラフである。
【００３４】
同図において、実線及び鎖線は充電時に照明部１５を点灯させる場合、点線は消灯させる場合の充電電圧及び充電電流の変化を示す。
また、細線は充電電圧を、太線は充電電流をそれぞれ示す。
さらに、太い一点鎖線は、照明部１５を最大の供給電力で点灯させた場合、太い二点鎖線は、供給電力値を低く設定した場合の充電電流を示す。
【００３５】
同図に示すように、充電電圧は、充電の開始からバッテリ１２の充満までなだらかに上昇を続け、充満後は、一定値で維持される。
充電電流は、充電の開始からバッテリ１２の充満まで一定値で推移し、バッテリ１２の充満とともに下降する。
【００３６】
ここで、充電中に照明部１５が点灯していないときは、充電電流は太い点線（Ｇ１）で示すように変化する。
一方、照明部１５が通常の供給電力値で点灯しているときは、太い一点鎖線（Ｇ２）で示すように変化する。
【００３７】
これらＧ１とＧ２とを比較した場合、Ｇ２の方が充電時間が約三十分程度長くなっているのは、照明部１５において電力が消費されているためである。
そこで、通常よりも低い供給電力値で照明部１５を点灯させたときは、充電電流は太い実線（Ｇ３）で示すように変化する。
【００３８】
すなわち、照明部１５への供給電力を低減させることで、充電時間が数分から数十分短縮される。
さらに供給電力値を低く設定したときは、充電電流は太い二点鎖線（Ｇ４）に示すように推移し、さらに充電時間が数分から数十分短縮される。
このように、照明部１５への供給電力を低減することにより、充電電力への供給電力の負担が軽減されることから、バッテリ１２への充電の時間を短縮できる。
【００３９】
照明機能付き携帯端末機をこのような構成とすると、バッテリの充電中において、あまり光度を必要としない照明部への供給電力を、照明用電力供給制御部により低下させることで、総充電電力が減少されることから充電時間を短縮することができる。
【００４０】
［第二実施形態］
次に、本発明の照明機能付き携帯端末機の第二の実施形態について、図４を参照して説明する。
同図は、本実施形態の照明機能付き携帯端末機の内部構成を示すブロック図である。
【００４１】
本実施形態は、第一実施形態における照明用電力供給制御部にパルス変調回路を用いることとしている。他の構成要素は第一実施形態と同様である。
したがって、図４において、図１と同様の構成部分については同一の符号を付して、その詳細な説明を省略する。
【００４２】
図４に示すように、照明機能付き携帯端末機１０は、照明用電力供給制御部１６にパルス変調回路１６−２を用いてある。
ここで、パルス変調回路１６−２は、周期的なパルスを変調信号に応じて変化させて行う変調機能を有する回路をいう。またパルス変調には、アナログ変調とデジタル変調との二種類がある。
【００４３】
このうち、アナログ変調には、パルス振幅変調、パルス幅変調、パルス位相変調、及びパルス周波数変調が含まれ、一方、デジタル変調には、パルス密度変調とパルス符号変調とが含まれる。
ただし、照明部１５に供給される電力は直流であるため、交流変換を行なってからパルス変調を行う。
【００４４】
次に、本実施形態の照明機能付き携帯端末機の動作について、図５を参照して説明する。
同図は、本実施形態の照明機能付き携帯端末機の動作を示すフローチャートである。
【００４５】
同図に示す照明機能付き携帯端末機１０の動作は図２とほとんど同じである。相違点としては、第一実施形態における動作を示す図２のステップ１４においてであり、第二実施形態では、パルス変調回路１６−１を設けることで、照明用電力供給制御部１６における照明部１５への制御が供給電圧ではなく供給電流で行われる。
【００４６】
照明機能付き携帯端末機１０における照明部１５への供給電流をパルス変調回路により変調することで、供給電流値を低減できる。したがって、供給電流による充電電流への負担が軽減されるため、充電時間を短縮できる。
また、パルス変調において、供給電流の振幅や周波数を変化させることにより、供給電流値を任意に設定できる。
【００４７】
［第三実施形態］
次に、本発明の照明機能付き携帯端末機の第三の実施形態について、図６を参照して説明する。
同図は、本実施形態の照明機能付き携帯端末機の内部構成を示すブロック図である。
【００４８】
本実施形態は、第一実施形態における照明用電力供給制御部に抵抗制御回路を用いることとしている。他の構成要素は第一実施形態と同様である。
したがって、図６において、図１と同様の構成部分については同一の符号を付して、その詳細な説明を省略する。
【００４９】
図６に示すように、照明機能付き携帯端末機１０は、照明用電力供給制御部１６に抵抗制御回路１６−２を用いてある。
ここで、抵抗制御回路１６−２は、照明部１５への供給電流の値を抵抗値の切り換えにより制御する機能を有し、たとえば、複数の電気抵抗素子（抵抗Ｒ）とこれらの切り換えを行う切換素子からなる回路（抵抗切換回路）を用いることができる。
【００５０】
複数の抵抗Ｒには、通常の供給電流値を決定するための抵抗Ｒ１と、充電時の供給電流値を決定するための抵抗Ｒ２とが含まれている。
抵抗制御回路１６−２に抵抗切換回路を用いた場合、通常は、抵抗Ｒ１が接続されている。
【００５１】
その後、充電部１１から制御部１８を介して送られてきた充電開始信号により、切換素子、たとえばトランジスタＴｒにおけるスイッチング動作により抵抗Ｒ２への切り換えが行われる。
供給電流は、切り替えられた抵抗Ｒ２により値が低下され照明部１５へ供給される。
なお、本実施形態の照明機能付き携帯端末機１０の動作は、図５と同様である。
【００５２】
照明機能付き携帯端末機をこのような構成とすれば、抵抗制御回路によっても照明部への供給電流を制御できることから、供給電流による充電電力への負担が軽減されるため、充電時間を短縮できる。
【００５３】
なお、本発明の照明機能付き携帯端末機は、第一実施形態、第二実施形態及び第三実施形態のそれぞれにおける照明機能付き携帯端末機を任意に組み合わせたものであってもよい。
【００５４】
【発明の効果】
以上のように、本発明によれば、携帯端末機に、バッテリへの充電時にあまり光度を必要としない照明部への供給電力を制御する照明用電力供給制御部を設けることにより、供給電力の低減を図り充電電流の完了設定値を通常よりも高く設定することで、充電時間の短縮を図ることができる。
【００５５】
また、充電中の完了設定値を、通常の完了設定値に照明部の供給電流を加えた値とすることで、バッテリへ十分にかつ最短時間で充電できる。
さらに、照明用電力供給制御部にパルス変調回路あるいは抵抗制御回路を設けることで、照明部１５への供給電流を低下できるため、充電時間を短縮できる。
【図面の簡単な説明】
【図１】本発明の第一実施形態における照明機能付き携帯端末機の内部構成を示すブロック図である。
【図２】本発明の第一実施形態における照明機能付き携帯端末機の動作を示すフローチャートである。
【図３】本発明の第一実施形態の照明機能付き携帯端末機において、バッテリへの充電電圧及び充電電流の変化を示すグラフである。
【図４】本発明の第二実施形態における照明機能付き携帯端末機の内部構成を示すブロック図である。
【図５】本発明の第二実施形態における照明機能付き携帯端末機の動作を示すフローチャートである。
【図６】本発明の第三実施形態における照明機能付き携帯端末機の内部構成を示すブロック図である。
【符号の説明】
１０  照明機能付き携帯端末機
１１  充電部
１２  バッテリ
１３  表示部
１４  操作部
１５    照明部
１６  照明用電力供給制御部
１６−１  パルス変調回路
１６−２  抵抗制御回路
１７  無線部
１８  制御部
２０  充電器
【図１】
0003555867.tif 000002
【図２】
0003555867.tif 000003
【図３】
0003555867.tif 000004
【図４】
0003555867.tif 000005
【図５】
0003555867.tif 000006
【図６】
0003555867.tif 000007